(57)【要約】【課題】  カメラ用レンズとカムコーダー用レンズとを同一方向に向かうようにしつつ、撮像装置の本体ケースの前面に一体に設けることができる撮像装置の前面ケースを提供する。これにより撮像装置を小型化することができる。【解決手段】  動画を撮影する第１のレンズを含む第１のカメラ部と静止画を撮影する第２のレンズを含む第２のカメラ部が本体ケースに収納される撮像装置において、前記本体ケースの前面に組み付けられるハウジングとそれぞれ前記第１のレンズ及び第２のレンズのいずれかが外部に露出されるように前記ハウジングの前面に形成される第１の孔及び第２の孔とを含む。【選択図】      図３
2005260949.tif 000002
【特許請求の範囲】
【請求項１】
動画を撮影する第１のレンズを含む第１のカメラ部と静止画を撮影する第２のレンズを含む第２のカメラ部が本体ケースに収納される撮像装置であって、
前記本体ケースの前面に組み付けられるハウジングと；
それぞれ前記第１のレンズ及び第２のレンズのいずれかが外部に露出されるように前記ハウジングの前面に形成される第１の孔及び第２の孔とを含むことを特徴とする画像装置の前面ケース。
【請求項２】
前記第１の孔及び第２の孔には、露出されるレンズに対応する第１及び第２のレンズフードがそれぞれ組み付けられることを特徴とする請求項１に記載の撮像装置の前面ケース。
【請求項３】
前記第１の孔からは前記第１のレンズが露出され、前記第２の孔からは前記第２のレンズが露出されることを特徴とする請求項２に記載の撮像装置の前面ケース。
【請求項４】
前記第１の孔に組み付けられる第１のレンズフードは、フードホルダーを更に含むことを特徴とする請求項３に記載の撮像装置の前面ケース。
【請求項５】
前記ハウジングの前面には、前記第１の孔と第２の孔との間にセンサー収容部が形成されたことを特徴とする請求項１に記載の撮像装置の前面ケース。
【請求項６】
前記ハウジングのセンサー収容部の外側には、前記センサー収容部を塞ぎ得る遮蔽板が設けられることを特徴とする請求項５に記載の撮像装置の前面ケース。
【請求項７】
前記センサー収容部は、赤外線ＬＥＤ、照光センサー、補助光ＬＥＤ、リモコンセンサーが収容できるように形成されたことを特徴とする請求項６に記載の撮像装置の前面ケース。
【請求項８】
前記ハウジングの一側面には、前記ハウジング内に設けられたジャックが露出できるように開閉自在のジャックカバーが形成されたことを特徴とする請求項１に記載の撮像装置の前面ケース。
【請求項９】
動画を撮影する第１のレンズを含む第１のカメラ部と静止画を撮影する第２のレンズを含む第２のカメラ部が本体ケースに収納される撮像装置であって、
前記本体ケースの前面に組み付けられるハウジングと；
それぞれ前記第１のレンズ及び第２のレンズのいずれかが外部に露出されるように前記ハウジングの前面に形成される第１の孔及び第２の孔と；
前記第１の孔に組み付けられフードホルダーを含む第１のレンズフードと；
前記第２の孔に組み付けられ第２のレンズフードとを含むことを特徴とする画像装置の前面ケース。
【請求項１０】
前記第１の孔からは前記第１のレンズが露出され、前記第２の孔からは前記第２のレンズが露出されることを特徴とする請求項９に記載の撮像装置の前面ケース。
【請求項１１】
前記ハウジングの前面には、前記第１の孔と第２の孔との間にセンサー収容部が形成されたことを特徴とする請求項９に記載の撮像装置の前面ケース。
【請求項１２】
前記ハウジングのセンサー収容部の外側には、前記センサー収容部を塞ぎ得る遮蔽板が設けられることを特徴とする請求項１１に記載の撮像装置の前面ケース。
【請求項１３】
前記センサー収容部は、赤外線ＬＥＤ、照光センサー、補助光ＬＥＤ、リモコンセンサーが収容できるように形成されたことを特徴とする請求項１１に記載の撮像装置の前面ケース。
【請求項１４】
前記ハウジングの一側面には、前記ハウジング内に設けられたジャックが露出できるように開閉自在のジャックカバーが形成されたことを特徴とする請求項９に記載の撮像装置の前面ケース。
【発明の詳細な説明】
【技術分野】
【０００１】
本発明は、別のレンズを通してそれぞれ動画と静止画が撮影できる撮像装置に係り、より詳しくは、二つのレンズを撮像装置の本体ケースに固定することにより装置の全体が小型化できる撮像装置の前面ケースに係る。
【背景技術】
【０００２】
一般に、撮像装置は、大別して静止画を撮影するカメラと動画を撮影することを主な目的とするカムコーダーとに分けられるところ、カメラとカムコーダーとは、それぞれ独自的な機能的特性を有するため別体として開発され市販されている。従って、消費者らは、カメラとカムコーダーをそれぞれ別体で買い上げ、静止画を撮りたい時はカメラを使用し、動画を撮りたい時はカムコーダーを使用する必要があった。しかし、このように撮りたい画像別にユーザーが別体の装置を買い上げて使用する必要があるということから、経済性や使い勝手がよくないという問題点があった。
【０００３】
このような問題点を解決するために本出願人は、添付した図１に示すようにカメラとカムコーダーとが一体になった撮像装置を発明し出願したことがある。
【０００４】
図１に示すように、従来の技術による撮像装置は、動画と静止画をそれぞれ記録するテープカセットとフラッシュメモリが装・脱着可能に設けられる本体１０と、動画を撮影するカムコーダー部と静止画を撮影するカメラ部が配されたカメラユニット２０と、カムコーダーユニット２０で撮影する動画または静止画をディスプレイするディスプレイ手段３０と、動画または静止画を選択的に撮影することができるように前記各構成部分を制御する制御部とを含む。
【０００５】
ここで、カメラユニット２０は、本体１０の一側にヒンジ部で回転自在に設けられるハウジング２１と、ハウジング２１にそれぞれのレンズ２３の前面が相互逆方向に向かうように設けられるカムコーダー部とカメラ部を含む。即ち、動画を撮影するカムコーダー部のレンズと静止画を撮影するカメラ部のレンズとが相互１８０°をなしてハウジング２１に配されている。また、本体１０とハウジング２１との間には、ハウジング２１の回転を検知することにより選択されたレンズが認識できるモード検知部が設けられている。よって、制御部は、モード検知部を介してカメラ部のレンズが前面に向かっているか、またはカムコーダー部のレンズが前面に向かっているかが判別できるようになる。従って、ユーザーは、ハウジング２１を本体１０に対し、図１に示す矢印方向に１８０°回転させることによりカメラとカムコーダーのいずれかを選択することができ、選択によって静止画または動画を撮影することができるようになる。このような撮像装置によりユーザーは、一つの装置だけを買い上げ及び携帯することにより必要に応じて動画を撮ることができ、また高画質の静止画も撮ることができる。
【０００６】
しかし、このような従来の一体型撮像装置においては、カムコーダー部とカメラ部のいずれかを選択し使用するためには、ユーザーがハウジング２１を１８０°回転させる必要があるため、使い勝手がよくなく、小型化するのにも制限があった。
【発明の開示】
【発明が解決しようとする課題】
【０００７】
従って、本発明は、前記のような問題点に鑑みてなされたものであって、その目的は、カメラ用レンズとカムコーダー用レンズとを同一方向に向かうようにしつつ、撮像装置の本体ケースの前面に一体に設けることができる撮像装置の前面ケースを提供することにより撮像装置を小型化することである。
【課題を解決するための手段】
【０００８】
前記のような本発明の目的は、動画を撮影する第１のレンズを含む第１のカメラ部と静止画を撮影する第２のレンズを含む第２のカメラ部が本体ケースに収納される撮像装置において、前記本体ケースの前面に組み付けられるハウジングと；それぞれ前記第１のレンズ及び第２のレンズのいずれかが外部に露出されるように前記ハウジングの前面に形成される第１の孔及び第２の孔とを含む画像装置の前面ケースを提供することにより達成される。
【０００９】
また、前記第１の孔及び第２の孔には、露出されるレンズに対応するレンズフードがそれぞれ組み付けられることを特徴とする。
【００１０】
この時、前記第１の孔からは前記第１のレンズが露出され、前記第２の孔からは前記第２のレンズが露出されることが好ましい。また、前記第１の孔に組み付けられるレンズフードは、フードホルダーを更に含むことが好ましい。また、前記ハウジングの前面には、前記第１の孔と第２の孔との間にセンサー収容部が形成されたことを特徴とする。
【００１１】
この時、前記ハウジングのセンサー収容部の外側には、前記センサー収容部を塞ぎ得る遮蔽板が設けられることが好ましい。ここで、前記センサー収容部は、赤外線ＬＥＤ、照光センサー、補助光ＬＥＤ、リモコンセンサーが収容できるように形成されることが好ましい。
【００１２】
また、前記ハウジングの一側面には、前記ハウジングの内部に設けられたジャックが露出できるように開閉自在のジャックカバーが形成されたことを特徴とする。
【発明の効果】
【００１３】
カメラレンズ用フードとカムコーダーレンズ用フードが一体に形成された前面ケースに設けられるため、撮像装置を小型化乃至はスリム化することができる。
【００１４】
また、撮像装置に使用される複数のセンサーを前面ケースの二つのレンズ孔の間の空間に固定可能にすることにより撮像装置を一層小型化することができる。
【発明を実施するための最良の形態】
【００１５】
以下、添付した図面に基づいて、本発明に係る撮像装置の前面ケースの一実施の形態について説明する。
【００１６】
本発明に係る撮像装置の前面ケースは、撮像装置の本体ケースに組み付けられるハウジングと前記ハウジングの前面に一定の間隔を隔てて形成された二つの孔を含む。ハウジングは、撮像装置の本体ケースの形状に応じて各種の形状に成形することができ、二つの孔は、使用されるレンズの規格に応じて各種の大きさに成形することができる。
【００１７】
本発明に係る撮像装置の前面ケースの一実施の形態が図２及び図３に示されており、図４は、図２の前面ケースが組み付けられる撮像装置の本体ケースの一例を示す分離斜視図である。
【００１８】
図２乃至図４に示すように、撮像装置の前面ケース１００は、撮像装置の本体ケース２００に組み付けられるハウジング１１０と、ハウジング１１０の前面１１０ａに一定の間隔をもって形成された第１の孔１１１及び第２の孔１１２とを含む。
【００１９】
ハウジング１１０は、射出等の製造方法で前面１１０ａが略長方形の中空の容器形状に成形されてなり、ハウジング１１０の前面１１０ａには、一定の間隔で二つの孔、即ち、第１の孔１１１と第２の孔１１２が形成される。
【００２０】
第１の孔１１１は、動画を撮影するカムコーダー用レンズである第１のレンズ２０１に対応する第１のレンズフード１２０が組み付けられるように形成される。第１のレンズフード１２０は、フードホルダー１３０によりハウジング１１０の第１の孔１１１に固定される。即ち、図３に示すように、ハウジング１１０の第１の孔１１１の周りには、フードホルダー１３０が固定できる複数のボルト穴１１３が形成され、フードホルダー１３０には、複数のボルト穴１１３に対応する複数のタップ１３２が形成されている。また、第１のレンズフード１２０には、フードホルダー１３０の複数のタップ１３２が露出できるように対応する複数の穴１２２が形成されている。従って、第１のレンズフード１２０をフードホルダー１３０に差し込んだ後、第１の孔１１１の周りのボルト穴１１３からボルト１１５を締め付けると、第１のレンズフード１２０が前面ケース１００のハウジング１１０に固定されるようになる。以上では、フードホルダー１３０とボルト１１５を用いて第１のレンズフード１２０をハウジング１１０に固定する構造について説明したが、この他、適宜の構造が適用され得ることはいうまでもない。
【００２１】
第２の孔１１２は、静止画を撮影するカメラ用レンズである第２のレンズ２０２に対応する第２のレンズフード１４０が組み付けられるように形成される。従って、第２のレンズフード１４０が固定できるように第２の孔１１２には、この孔の奥側に突設する複数の突起部１１４が形成される。この時、突起部１１４は、略１２０°の間隔で３つを形成することが好ましい。また、第２のレンズフード１４０は、第２の孔１１２に挿入される側の円周面上に複数の固定部１４２が突設する。固定部１４２の大きさは、ハウジング１１０の第２の孔１１２に形成された複数の突起部１１４の間の間隔に対応して決められる。また、複数の固定部１４２のそれぞれの外周面には、第２の孔１１２の突起部１１４が挿入できる固定溝１４３が形成されている。従って、第２のレンズフード１４０の固定部１４２をハウジング１１０の第２の孔の突起部１１４の間に挿入した後、第２のレンズフード１４０を一方向に回転させると、第２の孔１１２の突起部１１４が第２のレンズフード１４０の固定部１４２の固定溝１４３に挿入されることにより第２のレンズフード１４０が前面ケース１００に固定されるようになる。以上では、第２のレンズフード１４０が固定溝１４３と突起部１１４により固定される構造について説明したが、第２のレンズフード１４０をボルト締め等の他の締付け手段でハウジング１１０に固定できることはいうまでもない。
【００２２】
また、ハウジングの前面１１０ａの第１の孔１１１と第２の孔１１２との間には、撮像装置に使用されるセンサーが収納されるセンサー収納部１１７が設けられる。センサー収納部１１７は、撮像装置に使用される複数のセンサーの数量と大きさに対応する位置に複数の貫通孔からなる。本実施例では、二つの赤外線ＬＥＤ１６２と照光センサー１６３と、補助光ＬＥＤ１６４、及びリモコンセンサー１６５が一つの回路基板１６１に一定の間隔をもって設けられてセンサーアセンブリ１６０をなしている。従って、センサーアセンブリ１６０の回路基板１６１をハウジング１１０の内面に固定すると、それぞれのセンサー及びＬＥＤ１６２、１６３、１６４、１６５がハウジングの前面１１０ａに形成されたセンサー収納部１１７の貫通孔から光を発する等の動作を行うことができる。特に、ハウジング１１０のセンサー収納部１１７が形成された部分に対応するハウジングの前面１１０ａには、センサー収納部１１７の貫通孔を塞ぎ得る遮蔽板１５０が組み付けられる。遮蔽板１５０は、外部からセンサーアセンブリ１６０のセンサーやＬＥＤ等（１６２、１６３、１６４、１６５）が見えないように不透明なプラスチック等を使用するか、または赤外線フィルタ機能を有するプラスチック等を使用することができる。また、遮蔽板１５０が補助光ＬＥＤ１６４または照光センサー１６３の動作に邪魔にならないように補助光ＬＥＤ１６４と照光センサー１６３が設けられた位置に対応する遮蔽板１５０の部位には、貫通孔１５１、１５２を形成することが好ましい。この時、補助光ＬＥＤ１６４と照光センサー１６３の動作に役立てるために遮蔽板１５０とハウジング１１０の貫通孔には、透明窓１５５を設けることが好ましい。
【００２３】
一方、ハウジング１１０の後端には、図４に示すように、前面ケース１００を撮像装置の本体ケース２００に形成された固定端２１０に組み付けることができる複数の組付け部１１８が形成されている。ハウジング１１０の上面は、フラッシュ２１０が収納できるように一部が切欠してある。
【００２４】
また、ハウジング１１０の内側には、選択的にマイクジャックやイヤホンジャック１７２等を設けることができる。この時、ハウジング１１０の一側面には、上述したジャック１７２の接続部が外部に露出できるように開閉自在のジャックカバー１７０が設けられる。従って、ユーザーは、ジャック１７２を使用する時は、ジャックカバー１７０を開け、露出したジャック１７２に図示しないマイクやイヤホン等を接続し、使用しない場合は、ジャックカバー１７０を閉め、ジャック１７２が外部に露出することを防止することができる。
【００２５】
以下、添付した図面に基づいて、前記のような構造を有する本発明に係る撮像装置の前面ケースの組立とその作用について説明する。
【００２６】
まず、遮蔽板１５０を前面ケース１００のハウジング１１０の前面１１０ａに組み付ける。次いで、フードホルダー１３０を第１のレンズフード１２０に挿入する。この時、第１のレンズフード１２０の穴１２２がフードホルダー１３０に形成された複数のタップ穴１３２に一致するように組み付ける。次いで、フードホルダー１３０のタップ穴１３２がハウジング１１０の第１の孔１１１の周りのボルト穴１１３に一致するようにフードホルダー１３０を第１の孔１１１に位置させた後、ボルト１１５で締め付ける。最後に、第２のレンズフード１４０の固定部１４２を第２の孔１１２の突起部１１４の間に位置させ、第２のレンズフード１４０を第２の孔１１２に挿入した後、第２のレンズフード１４０を一方向に回転させる。そうすると、第２のレンズフード１４０の固定部１４２の固定溝１４３に第２の孔１１２の突起部１１４が挿入され、第2のレンズフード１４０がハウジング１１０に固定されるようになる。このような組立過程を経てハウジング１１０に第１及び第２のレンズフード１２０、１４０と遮蔽板１５０が組み立てられてなる撮像装置の前面ケース１１０が完成する。引き続き、図４に示すように、サブ組付けされた前面ケース１００のハウジング１１０の組付け部１１８がサブ組付けされた本体ケース２００の対応する固定口に係止するように組み付けると撮像装置の組立が完成する。図５には、このように前面ケース１００を組み立ててなる撮像装置の一例が示されている。
【００２７】
一方、以上では、本発明の好適な実施例について図示し、説明したが、本発明は、上述した特定の実施例に限定されるものではなく、特許請求の範囲で請求する本発明の要旨を逸脱することなく当該発明の属する技術分野における通常の知識を有する者であれば種々の変形実施が可能であることはもとより、かかる変形実施は、本発明の技術的思想や見込みとは別に理解してはいけない。
【産業上の利用可能性】
【００２８】
本発明は、動画または静止画を撮影することができるあらゆる撮像装置に適用され得、カメラ用レンズとカムコーダー用レンズとを同一方向に向かうようにしつつ、撮像装置の本体ケースの前面に一体に設けることができる撮像装置の前面ケースを提供し、撮像装置を小型化することができる。
【図面の簡単な説明】
【００２９】
【図１】従来の技術に係る撮像装置を示す斜視図である。
【図２】本発明に係る撮像装置の前面ケースを示す正面図である。
【図３】図２の撮像装置の前面ケースの分離斜視図である。
【図４】図２の撮像装置の前面ケースが本体ケースに組み付けられる状態を示す分離斜視図である。
【図５】図２の撮像装置の前面ケースが組み付けられた撮像装置の一実施の形態を示す斜視図である。
【符号の説明】
【００３０】
１００  前面ケース
１１０  ハウジング
１１１  第１の孔
１１２  第２の孔
１１４  突起部
１１７  センサー収納部
１２０  第１のレンズフード
１３０  フードホルダー
１４０  第２のレンズフード
１４２  固定部
１４３  固定溝
１５０  遮蔽板
１５５  透明窓
１６０  センサーアセンブリ
１７０  ジャックカバー
１７２  ジャック
２００  本体ケース
２０１  第１のレンズ
２０２  第２のレンズ
【図１】
2005260949.tif 000003
【図２】
2005260949.tif 000004
【図３】
2005260949.tif 000005
【図４】
2005260949.tif 000006
【図５】
2005260949.tif 000007